(57)【要約】【課題】本発明は、蓄電池全体の大きさ、蓋や電槽の外形寸法等が同一であっても、排気孔の位置や設け方等は用途に応じ千差万別である結果、多種多様の品種を製造する為に、蓋それぞれの専用金型を製作しなければならなず、金型製作の為の経費が増大すると共に、その管理の複雑化を解消したものである。【解決手段】蓋を中蓋と上蓋から構成し、電槽と中蓋および中蓋と上蓋は互いに融着されており、該中蓋には電槽と連通する排気筒を形成し、該排気筒上面を安全弁で覆うと共に、区画壁により外部へ連通する為の排気室を複数形成し、上蓋には、中蓋に形成された複数の排気室の区画壁に対向し互いに融着される突壁が形成されると共に、複数の排気室の内の１室の区画壁にのみ対向する突壁を欠落させた。【選択図】　　図５
2004030992.tif 000002
【特許請求の範囲】
【請求項１】
電槽とこれに施される蓋とを有し、該蓋は中蓋と上蓋からなり、電槽と中蓋および中蓋と上蓋は互いに融着されており、該中蓋には電槽と連通する排気筒を形成し、該排気筒上面を安全弁で覆うと共に、区画壁により外部へ連通する為の排気室を少なくとも２部屋形成し、上蓋には、中蓋に形成された複数の排気室の区画壁に対向し互いに融着される突壁が形成されると共に、複数の排気室の内の１室の区画壁にのみ対向する突壁が欠落していることを特徴とする密閉形鉛蓄電池。
【発明の詳細な説明】
【０００１】
【発明の属する技術分野】
本発明は、密閉形鉛蓄電池、特にその蓋構造に関するものである。
【０００２】
【従来の技術】
密閉形鉛蓄電池は、極板群が収納された電槽に安全弁および排気室や排気孔を有する蓋を施して封口密閉して成るものである。これら密閉形鉛蓄電池は自動車、二輪車や非常用電源等多種多様な用途に利用される様になって来ている。
【０００３】
【発明が解決しようとする課題】
これらの密閉形鉛蓄電池は、基本的には、正負極板をセパレータを介して交互に積層してなる極板群を電槽内に収納し、該電槽を安全弁を有する蓋で封口密閉し、蓋上面に端子が突出形成されているものであるが、全体の大きさ、蓋や電槽の外形寸法等が同一であっても、排気孔の位置や設け方等は用途に応じ千差万別である。その結果、多種多様の品種を製造する為に、蓋それぞれの専用金型を製作しなければならなず、金型製作の為の経費が増大すると共に、その管理も複雑化している。
【０００４】
【課題を解決するための手段】
本発明は、これらの課題を解消したもので、蓋を中蓋と上蓋に２分割し、中蓋に少なくとも２部屋以上の排気室を形成すると共に、上蓋には該排気室のいずれか１部屋にのみ連通路を形成すべく、融着されるべき突壁を欠落させたものである。
【０００５】
【作用】
この様にすることで、蓄電池内部で発生する発生ガスを外部へ排出する為に排気室に形成される排気孔の位置が異なった密閉形鉛蓄電池を製作するに当たって、外形寸法等が同一なら同じ成形金型で電槽や中蓋が成形し得ると共に、上蓋を変えることで適宜所望の位置へ排気可能な密閉形鉛蓄電池を簡単に得ることが出来る。
【０００６】
【発明の実施の形態】
次に本発明の実施形態を図面を参照して詳細に説明する。
図は本発明の１実施形態を示し、図１は密閉形蓄電池の斜視図で、１は蓋、２は中蓋、３は上蓋、４は電槽、５は端子である。電槽４内には隔壁により６つのセル室が区画形成され、各セル室に鉛蓄電池用の正負極板が保液性に優れたリテーナーマットからなるセパレータを介して交互に積層された極板群が収納され、該極板群は互いに隔壁貫通セル間接続方式により直列に接続され、両端のセル室内に位置する正極ストラップ、負極ストラップに極柱を植立してこれを端子５に接続しているものであり、１２Ｖの出力電圧を得ることが出来る。
【０００７】
中蓋２は、熱融着により電槽上端部に溶着され、更にその上面は融着された上蓋１により覆われている。
【０００８】
尚、図中、６は温度測定具（サーミスタ）７の機器への接続端子８を固定するための対峙する２枚の突板、９は排気孔で、その先端ノズル部にはＴ字状の排気管１０が接続され、該排気管１０の先端には湾曲自在のパイプ（図示せず）が接続される。１１は例えば自動車へ搭載される場合の固定金具の支持部材で、その上端は上蓋１の上面と同じ高さに形成され、左右同一の固定金具が使用出来る様にしたもので、該支持部材１１により蓋１の上面に形成された凹所１２には、鉛蓄電池の使用時に用いられるボルトナットが収納される。
【０００９】
図２は中蓋２の上面図である。該中蓋２は電槽の６つのセル室に対応して６つの円筒状排気筒２１が設けられ、図示しないがその先端にゴム弁が冠着され安全弁を構成するもので、これら６つの排気筒２１は区画壁２２により区画され排気筒室２３を形成している。２４、２５はそれぞれ排気室で、区画壁２６及び区画壁２２等により区画形成されている。各排気室２４、２５内にある円形の凹部２７はセラミック或いは合成樹脂粉末を焼成してなるガスフィルターを直接或いは間接的に設ける為のものである。
【００１０】
図中、２８は中蓋に鋳込まれた中空ブッシングにより形成された極柱挿通孔で、この孔に極板群の極柱が挿通されブッシングや図示しない端子と接続される。２９は温度測定具７の挿通凹部、３０は接続端子８の下部に設けられた突起（図示せず）を嵌入する嵌入凹部である。
【００１１】
図３は、上記中蓋２のＡ−Ａ線断面図で、該中蓋２は下面に凹部を有する逆Ｕ字形をなし、上面に窪みを形成してガスフィルターを設ける凹部２７、温度測定具７の挿通凹部２９が形成され、排気筒２１も形成された凹部の底面を貫通して設けられている。３１は該排気筒２１の側壁に形成されたスリットで排気筒２１内と電槽内を連通する。更に、上面には僅かな高さを有し各区画壁が突出形成されて各室を形成しているものである。図中、３２は中蓋の下面に設けられた複数の隔壁で、電槽の隔壁と対応し、周壁とこれら隔壁３２が電槽の周壁と隔壁と熱融着されるものである。
【００１２】
図４は上蓋３の上面図で、排気孔９、温度測定具の挿通用穴４０、温度測定具の接続端子を固定するための対峙する２枚の突板６および接続端子の下部に設けられた突起（図示せず）を挿入する挿入穴４１が形成されている。この上蓋３の裏面を図５に示す。該上蓋３の裏面には、中蓋２の上面の各区画壁や周囲に位置する周壁に対応して僅かに突出する突壁が形成されている。４２は中蓋２上面の区画壁２２に対応する突壁、４５は中蓋２上面の区画壁２５に対応する突壁で、これら突壁は中蓋２の区画壁と互いに熱融着され施されるものであるが、この上蓋には、中蓋２に形成された２つの排気室２４、２５の内の排気室２５を区画する区画壁２５に対応する上蓋の突壁を形成せず欠落させた。このことにより、中蓋２の排気筒２１から出た発生ガスは排気室２３内を通り、排気室２５に侵入することになる。そしてこの排気室２５に形成された排気孔９から外部へ排出されることになるものである。図中４３は中蓋２の極柱挿通孔２７の上方に位置し、挿入された極柱の上端が上蓋３に当接しないようにする為のよけ凹部で、底面球形に形成されている。４４は中蓋２の排気筒２１の上方に位置し、該排気筒２１の先端に冠着されるゴム弁に当接し、該ゴム弁が上方へズレ出ないようにする為のバツ状突起、４６は中蓋２の排気室２４内に形成されたガスフィルターを設ける為の凹部２６上方に位置して設けられた円柱状突起で、上記のように排気室２５を使用するべく構成された上蓋を誤って排気室２４を利用すべく中蓋２の排気室２４の凹部２６にガスフィルターが配置されたものに施そうとした場合に、該円柱状突起４６がガスフィルターに当接して、該上蓋３が中蓋２に施されない様にしたものである。４７、４８は位置決め用突起で、図２の中蓋２の上面に上蓋３を被せた際、該中蓋２の極柱挿通孔２７の近傍の角部にある突起３３を挟み込む様に位置し、製造中に上蓋３が移動するのを防止するものである。
【００１３】
図６は図５のＢ−Ｂ線断面図で、上蓋３は肉薄の平板状で形成され、排気孔９は下方へ突出する凹部５０の底面に中空円筒体のノズル部５１を設けて形成される。５２は該ノズル部５１の下部に位置して形成されたガスフィルターの収納部である。
【００１４】
この上蓋３を中蓋２に熱融着して用いた場合は、蓄電池内で発生した発生ガスは中蓋２の排気筒２１を通り、その上端に冠着したゴム弁を押し開いて排気筒室２３に入り欠落した突壁により排気室２５内に侵入し排気孔９下端に設けられたガスフィルターを通りノズル部５１へ入り、該ノズル部５１に接続された排気管１０を通り、この排気管１０に接続されたパイプ内を通ってパイプの他端開口より外部へ排気される。
【００１５】
図７は排気位置を異ならせる場合に用いる他の上蓋３の裏面図である。この場合は、排気室２５を区画する区画壁２５に対応する上蓋３の突壁２５は形成され、排気室２４を区画する区画壁２５に対応する上蓋３の突壁を欠落させたものである。更に該排気室２４の周壁の一部に対応する突壁も欠落させ、排気室２４の凹部２６に設けられたガスフィルターを介し、該周壁の欠落する箇所を通って側面外部へ排出される。図中６１はガスフィルターの上面に当接する突壁で、排気室２４内に入って来た発生ガスが必ずガスフィルターを通って外部へ排出されるように形成したものである。尚、該突壁６１の近傍にある狭い間隔を存して相対する突壁６２、６２は熱融着時に溶融した樹脂が互いにくっつき間隔が無くなるようにして、中蓋２の対応する区画壁間の間隔がトンネルとなるようにし、これによっても発生ガスがガスフィルターを通らずに排気されることを防止した。
【００１６】
このように、上蓋のみを変えることで排気位置や設け方を簡単に変えることが出来る。
【００１７】
【発明の効果】
以上説明したように、本発明は蓋を中蓋と上蓋に２分割し、中蓋に少なくとも２部屋以上の排気室を形成すると共に、上蓋には該排気室のいずれか１部屋にのみ連通路を形成すべく、融着されるべき突壁を欠落させたので、該上蓋において、突壁の欠落位置を種種変えることにより異なった排気位置や設け方が簡単に出来、複雑な構造を有する蓋の成形金型を多数用意する必要はなく、簡単な構造の上蓋を成形する金型を用意すれば良く、また多種の上蓋を得るに、入れ子等で簡単に対応出来る等管理も簡単になる等の効果を奏するものである。
【図面の簡単な説明】
【図１】密閉形蓄電池斜視図。
【図２】中蓋上面図。
【図３】図２のＡ−Ａ線断面図。
【図４】上蓋上面図。
【図５】上蓋裏面図。
【図６】図５のＢ−Ｂ線断面図。
【図７】排気位置を異ならせる他の上蓋裏面図。
【符号の説明】
１　　蓋
２　　中蓋
３　　上蓋
２１　　排気筒
２３　　排気筒室
２４、２５　　排気室
４２、４５、６１　　突壁
【図１】
2004030992.tif 000003
【図２】
2004030992.tif 000004
【図３】
2004030992.tif 000005
【図４】
2004030992.tif 000006
【図５】
2004030992.tif 000007
【図６】
2004030992.tif 000008
【図７】
2004030992.tif 000009